(57)【特許請求の範囲】
【請求項１】
躯体が備える排水口に対応して配置される自在ドレインであって、
上部筒体と、該上部筒体の上端部から突出する上部フランジとを有する上部ドレインと、
下部筒体と、該下部筒体の上端部から突出する下部フランジとを有する下部ドレインとを備え、
前記上部筒体は、その外周面に形成されたネジ溝を有し、前記下部筒体は、その上端側において、内周面に形成されたネジ溝を有しており、
前記上部筒体の外径が、前記下部筒体におけるネジ溝が形成されている前記上端側の内径とほぼ等しく設定されており、これにより、前記上部筒体が前記下部筒体に螺合されるように構成され、
前記下部筒体における前記ネジ溝が形成されている前記上端側の内径は、前記下部筒体の下端側の内径よりも大きく、かつ、前記上部筒体の内径は、前記下部筒体の下端側の内径よりも大きくなっており、
前記上部筒体は、補修ドレインが有する筒体をなす挿入ドレインを挿入可能に構成されており、
前記下部筒体は、その前記ネジ溝の下端側において、前記内周面から突出する内周フランジを有し、
前記内周フランジは、その内径が前記上部筒体の内径および前記挿入ドレインの内径よりも小さくなっており、
前記内周フランジは、前記下部筒体に前記上部筒体を螺合により挿入し、さらに、前記上部筒体に前記挿入ドレインを挿入した際に、前記上部筒体の下端および前記挿入ドレインの下端のうちの少なくとも前記上部筒体の下端を係止する係止部を構成することを特徴とする自在ドレイン。
【請求項２】
躯体が備える排水口に対応して配置される自在ドレインと、該自在ドレインに挿入される補修ドレインとを有する補修ドレインセットであって、
前記自在ドレインは、上部筒体と、該上部筒体の上端部から突出する上部フランジとを有する上部ドレインと、
下部筒体と、該下部筒体の上端部から突出する下部フランジとを有する下部ドレインとを備え、
前記上部筒体は、その外周面に形成されたネジ溝を有し、前記下部筒体は、その上端側において、内周面に形成されたネジ溝を有しており、
前記上部筒体の外径が、前記下部筒体におけるネジ溝が形成されている前記上端側の内径とほぼ等しく設定されており、これにより、前記上部筒体が前記下部筒体に螺合されるように構成され、
前記下部筒体における前記ネジ溝が形成されている前記上端側の内径は、前記下部筒体の下端側の内径よりも大きく、かつ、前記上部筒体の内径は、前記下部筒体の下端側の内径よりも大きくなっており、
前記上部筒体は、前記補修ドレインが有する筒体をなす挿入ドレインを挿入可能に構成されており、
前記下部筒体は、その前記ネジ溝の下端側において、前記内周面から突出する内周フランジを有し、
前記内周フランジは、その内径が前記上部筒体の内径および前記挿入ドレインの内径よりも小さくなっており、
前記内周フランジは、前記下部筒体に前記上部筒体を螺合により挿入し、さらに、前記上部筒体に前記挿入ドレインを挿入した際に、前記上部筒体の下端および前記挿入ドレインの下端のうちの少なくとも前記上部筒体の下端を係止する係止部を構成することを特徴とする補修ドレインセット。
【発明の詳細な説明】
【技術分野】
【０００１】
本発明は、自在ドレインおよび補修ドレインセットに関する。
【背景技術】
【０００２】
近年、建築物の高耐久化が求められることに伴って、多くの建築物の屋上やベランダ等の躯体（構造体）において、防水シート（樹脂シート）を敷設施工したシート防水構造が採用されている（例えば、特許文献１参照）。
【０００３】
このシート防水構造では、躯体が備える排水口に対応して、自在ドレインが配置され、この自在ドレインが有する上部ドレインと下部ドレインとで、シート防水構造を挟持し、さらに、下部ドレインの下端に、躯体が備える排水管が接続されている。これにより、躯体が備える排水口を介して、躯体から、その外部に対して、雨水等の水が排出されることとなる。
【０００４】
かかる構成をなすシート防水構造は、施工後に年月を経ると、日光や、雨水に晒されることにより、不可避的に劣化が生じ、その結果、シート防水構造の防水性が低下する。そのため、シート防水構造の防水性を維持することを目的に、シート防水構造の補修が行われるが、通常、この補修の際に、自在ドレインが有する上部ドレインには、上部ドレインの内径よりも小さい内径を有する補修ドレインが挿入される。
【０００５】
そのため、補修（改修）が施された後のシート防水構造では、上部ドレインに補修ドレインが挿入されていることに起因して、雨水等の水の排出能が低下すると言う問題があった。
【先行技術文献】
【特許文献】
【０００６】
【特許文献１】特開２０１１−５８１６９号公報
【発明の概要】
【発明が解決しようとする課題】
【０００７】
本発明の目的は、自在ドレインに補修ドレインを挿入して補修を施したとしても、雨水等の水の排出能が低下するのを的確に抑制または防止することができる自在ドレインおよび補修ドレインセットを提供することにある。
【課題を解決するための手段】
【０００８】
このような目的は、下記（１）〜（２）に記載の本発明により達成される。
（１）  躯体が備える排水口に対応して配置される自在ドレインであって、
上部筒体と、該上部筒体の上端部から突出する上部フランジとを有する上部ドレインと、
下部筒体と、該下部筒体の上端部から突出する下部フランジとを有する下部ドレインとを備え、
前記上部筒体は、その外周面に形成されたネジ溝を有し、前記下部筒体は、その上端側において、内周面に形成されたネジ溝を有しており、
前記上部筒体の外径が、前記下部筒体におけるネジ溝が形成されている前記上端側の内径とほぼ等しく設定されており、これにより、前記上部筒体が前記下部筒体に螺合されるように構成され、
前記下部筒体における前記ネジ溝が形成されている前記上端側の内径は、前記下部筒体の下端側の内径よりも大きく、かつ、前記上部筒体の内径は、前記下部筒体の下端側の内径よりも大きくなっており、
前記上部筒体は、補修ドレインが有する筒体をなす挿入ドレインを挿入可能に構成されており、
前記下部筒体は、その前記ネジ溝の下端側において、前記内周面から突出する内周フランジを有し、
前記内周フランジは、その内径が前記上部筒体の内径および前記挿入ドレインの内径よりも小さくなっており、
前記内周フランジは、前記下部筒体に前記上部筒体を螺合により挿入し、さらに、前記上部筒体に前記挿入ドレインを挿入した際に、前記上部筒体の下端および前記挿入ドレインの下端のうちの少なくとも前記上部筒体の下端を係止する係止部を構成することを特徴とする自在ドレイン。
【００１２】
（２）  躯体が備える排水口に対応して配置される自在ドレインと、該自在ドレインに挿入される補修ドレインとを有する補修ドレインセットであって、
前記自在ドレインは、上部筒体と、該上部筒体の上端部から突出する上部フランジとを有する上部ドレインと、
下部筒体と、該下部筒体の上端部から突出する下部フランジとを有する下部ドレインとを備え、
前記上部筒体は、その外周面に形成されたネジ溝を有し、前記下部筒体は、その上端側において、内周面に形成されたネジ溝を有しており、
前記上部筒体の外径が、前記下部筒体におけるネジ溝が形成されている前記上端側の内径とほぼ等しく設定されており、これにより、前記上部筒体が前記下部筒体に螺合されるように構成され、
前記下部筒体における前記ネジ溝が形成されている前記上端側の内径は、前記下部筒体の下端側の内径よりも大きく、かつ、前記上部筒体の内径は、前記下部筒体の下端側の内径よりも大きくなっており、
前記上部筒体は、前記補修ドレインが有する筒体をなす挿入ドレインを挿入可能に構成されており、
前記下部筒体は、その前記ネジ溝の下端側において、前記内周面から突出する内周フランジを有し、
前記内周フランジは、その内径が前記上部筒体の内径および前記挿入ドレインの内径よりも小さくなっており、
前記内周フランジは、前記下部筒体に前記上部筒体を螺合により挿入し、さらに、前記上部筒体に前記挿入ドレインを挿入した際に、前記上部筒体の下端および前記挿入ドレインの下端のうちの少なくとも前記上部筒体の下端を係止する係止部を構成することを特徴とする補修ドレインセット。
【発明の効果】
【００１３】
本発明によれば、自在ドレインに補修ドレインを挿入して補修を施したとしても、挿入される補修ドレインとして、その内径が、自在ドレインが有する下部ドレインの内径と比較して、小さくなるのを的確に抑制または防止することができる。したがって、補修ドレインによる補修前に対して、雨水等の水の排出能が低下するのを的確に抑制または防止することができる。
【図面の簡単な説明】
【００１４】
【図１】躯体に施工されたシート防水構造を部分的に取り出した部分縦断面図である。
【図２】図１に示すシート防水構造の主要部分を示す部分斜視図である。
【図３】図２に示すシート防水構造の主要部分におけるＡ−Ａ線縦断面図である。
【図４】図１に示すシート防水構造を補修する補修キットを説明するための部分分解斜視断面図である。
【図５】図４に示す補修キットを用いて補修された、図３に示すシート防水構造の主要部分を示す縦断面図である。
【発明を実施するための形態】
【００１５】
以下、本発明の自在ドレインおよび補修ドレインセットを添付図面に示す好適実施形態に基づいて詳細に説明する。
【００１６】
以下、本発明の自在ドレインおよび補修ドレインセットを説明するのに先立って、まず、本発明の自在ドレインおよび補修ドレインセットを適用し得る、シート防水構造１０について詳述する。
【００１７】
＜シート防水構造＞
図１は、躯体に施工されたシート防水構造を部分的に取り出した部分縦断面図、図２は、図１に示すシート防水構造の主要部分を示す部分斜視図、図３は、図２に示すシート防水構造の主要部分におけるＡ−Ａ線縦断面図である。なお、以下の説明では、図１〜図３中の上側を「上」、下側を「下」と言う。また、図１では、説明の便宜上、シート防水構造の全体を示すことなく、躯体が備える床部と壁部とを部分的に図示している。
【００１８】
本実施形態では、シート防水構造１０が施工された、屋上やベランダのような躯体１００（構造体）を一例にして説明する。
【００１９】
躯体１００は、床部１０１と、この床部１０１の外縁を取り囲むように沿って立設して設けられた壁部１０２とを有している。また、床部１０１は、図１に示すように、その厚さ方向に貫通する排水口１０５を有している。そして、この排水口１０５には、雨水等の水を排水として排出する機能を発揮させるために、開口部５１５を備える配置部材５０と、この開口部５１５に装着された自在ドレイン７０とが配置され、この自在ドレイン７０に、躯体１００に設けられた排水管１５０が接続されており、これにより、排水口１０５を介して、躯体１００から、その外部に対して、雨水等の水が排出されることとなる。
【００２０】
シート防水構造１０は、本実施形態では、この躯体１００、すなわち枠体をなす壁部１０２と、底部を構成し、排水口１０５を備える床部１０１とに対して施工されたものであり、本実施形態では、防水シート２０と、配置部材５０と、自在ドレイン７０と、敷設部材９０とを有している。
【００２１】
敷設部材９０は、その全体形状が平板状をなし、床部１０１が備える排水口１０５が露出するように、床部１０１に敷設されている。この敷設部材９０は、例えば、断熱材と、この断熱材の上面を被覆する被覆材とを有する積層体で構成される。このように、敷設部材９０を、断熱材を備えるものとすることにより、躯体１００における断熱性の向上が図れる。
【００２２】
断熱材としては、通常、建物の断熱に用いられる断熱材が用いられ、例えば、発泡ポリスチレン、ポリウレタンフォーム、ポリイソシアヌレートフォーム、フェノールフォーム等で構成される断熱層が挙げられる。
【００２３】
また、被覆材としては、例えば、ポリエチレン製の織布からなる絶縁クロスシート、ガラス繊維製の防火用シート、ピンホール検査用のアルミ箔ラミネートシート等や、人の歩行を可能にする目的で、歩行用ボードとして、繊維強化セメント板、石こうボード製品、木質系セメント板等の高剛性板が挙げられる。
【００２４】
すなわち、本実施形態では、断熱性を有する断熱材と、その上に敷設された絶縁クロスシート、防火用シート、アルミ箔ラミネートシートもしくは高剛性板等で構成される被覆材との積層体により、敷設部材９０が構成される。
【００２５】
なお、敷設部材９０は、上記のような積層体で構成される場合の他、断熱材または被覆材の単体で構成される単層体であってもよい。
【００２６】
ここで、床部１０１が備える排水口１０５が露出するように床部１０１に敷設部材９０が敷設された躯体１００において、壁部１０２と床部１０１上の敷設部材９０との境界部１０３の近傍で、排水口１０５を有する配置部材５０は、固定ビス等（図示せず）を用いて敷設部材９０を介して床部１０１に固定されている。そして、この状態で、防水シート２０は、配置部材５０および敷設部材９０とともに床部１０１と壁部１０２とを覆っており、これにより、躯体１００の防水性が確保される。
【００２７】
換言すれば、日光や雨水には防水シート２０が晒されることとなり、躯体１００すなわち壁部１０２と床部１０１とが直接的に日光や雨水に晒されることが防止されるため、躯体１００の防水性が確保される。
【００２８】
上記のように、躯体１００すなわち壁部１０２と床部１０１とを、敷設部材９０、配置部材５０等とともに、防水シート２０で被覆することにより、躯体１００の防水性が確保される。そして、配置部材５０は、開口部５１５を有し、この開口部５１５には自在ドレイン７０が装着されており、さらに、排水口１０５において、この自在ドレイン７０に、躯体１００に設けられた排水管１５０が接続されている。これにより、排水口１０５を介して、躯体１００から、その外部に対して、雨水等の水が排出されることとなる。
【００２９】
以下、床部１０１が備える排水口１０５において、床部１０１に防水を施しつつ、躯体１００から、その外部に対して、排水口１０５を介して、雨水等の水を排出する際に、この水の排出に関与する各部の構成について、順次、説明する。
【００３０】
配置部材５０は、壁部１０２と床部１０１上の敷設部材９０との境界部１０３の近傍において、床部１０１が備える排水口１０５に配置部材５０が備える開口部５１５が対応するように配置され、固定ビス等を用いて、敷設部材９０を介して床部１０１に固定されている。
【００３１】
なお、図１では、配置部材５０が境界部１０３に配置されているが、防水が施工される躯体１００の形状は、当然、様々であることから、配置部材５０としては、複数の種類の形状のものが予め用意され、実際に施工される躯体１００が備える境界部１０３の形状に合致するものが選択され、配置部材５０は、境界部１０３に、その形状に対応するように、配置される。
【００３２】
この配置部材５０は、図２に示すように、基部５１と、立ち上がり面５２とを有している。
【００３３】
基部５１は、敷設部材９０が敷設された床部１０１に対応して配置され、図１、図２の上側から見た平面視で、矩形状をなしている。この基部５１は、敷設部材９０に対応する平部５１０と、この平部５１０に傾斜して設けられ、境界部１０３に対応する傾斜部５１１と、これら平部５１０および傾斜部５１１の中央部において、平部５１０から傾斜部５１１に亘って延設された溝部を構成する凹部５１２とを有している。
【００３４】
凹部５１２は、側壁を構成する段差５１３と、底面を構成する底部５１４とからなり、この底部５１４は、その厚さ方向に貫通する開口部５１５を有している。
【００３５】
かかる構成をなしている配置部材５０を躯体１００内に配置すると、境界部１０３に対応して配置される傾斜部５１１が、雨水等の水が流れる流路を構成し、この流路としての傾斜部５１１から凹部５１２に雨水等の水が供給され、その後、凹部５１２の底部５１４が備える開口部５１５を介して、この水は、最終的に床部１０１が備える排水口１０５から、躯体１００の外側に排出されることとなる。なお、配置部材５０が備える開口部５１５には、自在ドレイン７０が装着され、さらに自在ドレイン７０には、躯体１００に設けられた排水管１５０が接続されているが、その詳細な説明は、後に行うこととする。
【００３６】
また、立ち上がり面５２は、基部５１（傾斜部５１１）の縁部から立設している。この立ち上がり面５２は、配置部材５０を境界部に対応して配置した際に、壁部１０２に沿うように、基部５１に対して屈曲した構造をなしている。
【００３７】
また、立ち上がり面５２は、厚さ方向に貫通する貫通孔（図示せず）を有しており、ビス等を、この貫通孔に挿通した状態で、壁部１０２に固定することにより、配置部材５０（立ち上がり面５２）が躯体１００に取り付けられる。
【００３８】
この配置部材５０は、金属板と、この金属板の表面を被覆する樹脂層とで構成されている。このように、金属板の表面を樹脂層で被覆することで、金属板の腐食を確実に防止することができる。さらに、この樹脂層により、配置部材５０の上面において、防水シート２０の下面に対して確実に接合することができる。
【００３９】
金属板は、例えば、ステンレス鋼板、鉄板のような鋼板、アルミ板、銅板等で構成されるが、鋼板であるのが好ましい。これにより、配置部材５０を優れた強度を有するものとすることができる。
【００４０】
樹脂層は、樹脂で構成されるものであり、この樹脂としては、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができるが、ポリ塩化ビニルであるのが好ましい。すなわち、後述する防水シート２０を構成する樹脂と、同種または同一であることが好ましい。これにより、樹脂層と防水シート２０との密着性を向上させることができる。さらに、ポリ塩化ビニルは、溶剤溶着性や熱融着性に優れるため、前記効果をより顕著に発揮させることができるとともに、金属板の腐食をより確実に防止することができる。
【００４１】
また、この樹脂層を構成する樹脂には、後述する防水シート２０の構成材料で挙げる可塑剤、安定化剤等の他の材料が含まれていてもよい。
【００４２】
自在ドレイン７０は、その上端（一端）において、配置部材５０が備える開口部５１５に固定されており、躯体１００が備える排水口１０５に対応して配置された際に、さらに、その下端（他端）において、躯体１００に設けられた排水管１５０が接続されており、これにより、配置部材５０に供給された雨水等の水を、排水管１５０に供給する流路を構成する。
【００４３】
この自在ドレイン７０は、図１〜図３に示すように、上部ドレイン７１と、下部ドレイン７２とを有し、底部５１４が備える開口部５１５の上側および下側に、開口部５１５を挟んで、それぞれ、上部ドレイン７１および下部ドレイン７２が配設されている。
【００４４】
上部ドレイン７１は、開口部５１５に挿入される上部筒体７１１と、この上部筒体７１１の上端部から突出し、底部５１４の上面に接触する上部フランジ７１２とを有している。また、上部筒体７１１は、その外周面に形成されたネジ溝７１５を有している。
【００４５】
下部ドレイン７２は、上部筒体７１１が螺合可能に挿入される下部筒体７２１と、この下部筒体７２１の上端部から突出し、底部５１４の下面に接触する下部フランジ７２２とを有している。また、下部筒体７２１は、その上端側において、内周面に形成されたネジ溝７２５を有している。
【００４６】
かかる構成をなす上部ドレイン７１および下部ドレイン７２は、図１〜図３に示すように、上部ドレイン７１の上部筒体７１１の外径が、下部ドレイン７２の下部筒体７２１におけるネジ溝７２５が形成されている上端側の内径とほぼ等しく設定されており、これにより、上部ドレイン７１を、下部ドレイン７２に対して挿入する際に、上部筒体７１１が下部筒体７２１に螺合される。
【００４７】
この上部筒体７１１と下部筒体７２１との螺合により、上部ドレイン７１の上部フランジ７１２と、下部ドレイン７２の下部フランジ７２２とが配置部材５０の底部５１４を挟持することとなり、その結果、開口部５１５が水密に保たれる。
【００４８】
また、下部ドレイン７２の下部筒体７２１は、前述の通り、その内周面にネジ溝７２５を備えるが、このネジ溝７２５は、下部筒体７２１の内周面の上側に形成されており、下部筒体７２１は、ネジ溝７２５の下端側において、その内周面から突出する内周フランジ７２４（突起）を有している。この内周フランジ７２４は、下部筒体７２１に上部筒体７１１を螺合により挿入した際に、上部筒体７１１の下端を係止する係止部を構成する。そのため、この螺合による挿入の際に、上部ドレイン７１の上部フランジ７１２と、下部ドレイン７２の下部フランジ７２２とにより、配置部材５０の底部５１４に対して、過剰な負荷が掛かるのを的確に抑制または防止することができる。
【００４９】
自在ドレイン７０、すなわち、上部ドレイン７１および下部ドレイン７２は、樹脂で構成されるものであり、この樹脂としては、前記配置部材５０が備える樹脂層を構成する樹脂で説明したのと同様のものを用いることができる。
【００５０】
防水シート２０は、シート状（板状）をなし、配置部材５０の縁部と、敷設部材９０とともに、床部１０１と壁部１０２とを覆うものであり、防水シート２０の下面と、配置部材５０の上面とが接合されている。
【００５１】
これにより、日光や雨水には防水シート２０が晒され、躯体１００が直接的に日光や雨水に晒されることが防止されることから、躯体１００の防水性が確保される。
【００５２】
このような防水シート２０は、樹脂材料を含有する樹脂シートで構成される。
樹脂材料としては、特に限定されないが、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができる。これらの中でも、塩化ビニル系樹脂であることが好ましい。これにより、防水シート２０の溶剤溶着性や熱融着性を優れたものとすることができる。
【００５３】
なお、塩化ビニル系樹脂としては、塩化ビニルを含む重合体、すなわちオリゴマー、プレポリマーおよびポリマーであれば特に限定されないが、例えば、塩化ビニルの単量重合体、または塩化ビニルと、酢酸ビニル、エチレン、もしくはプロピレン等との共重合体、およびこれらの２種以上の重合体の混合物等が挙げられる。
【００５４】
また、樹脂材料には、さらに、各種可塑剤、各種安定化剤、各種酸化防止剤、各種紫外線吸収剤、加工助剤、滑剤、充填材、難燃剤および色材等を含んでいてもよく、特に、可塑剤が含まれることが好ましい。これにより、防水シート２０をより優れた柔軟性を有するものとすることができる。
【００５５】
なお、可塑剤としては、特に限定されないが、例えば、ＤＯＰ（ジオクチルフタレート）、ＤＢＰ（ジブチルフタレート）、ＤＩＢＰ（ジイソブチルフタレート）、ＤＨＰ（ジヘプチルフタレート）のようなフタル酸エステル系可塑剤、ＤＯＡ（ジ−２−エチルヘキシルアジペート）、ＤＩＤＡ（ジイソデシルアジペート）、ＤＯＳ（ジ−２−エチルヘキシルセバセート）のような脂肪族二塩基酸エステル系可塑剤、エチレングリコールのベンゾエート類のような芳香族カルボン酸エステル系可塑剤、およびＴＯＴＭ（トリオクチルトリメリテート）のようなトリメリット酸エステル系可塑剤等が挙げられ、これらのうちの１種または２種以上を組み合わせて用いることができる。
【００５６】
また、安定剤としては、例えば、グリシン亜鉛等が挙げられ、この場合の安定助剤としては、例えば、リン酸トリクレジル（ＴＣＰ）、リン酸トリキシリル（ＴＸＰ）、リン酸トリブチル（ＴＢＰ）、リン酸トリ−２−エチルヘキシル、リン酸２−エチルヘキシル・ジフェニルのような有機リン酸エステル等が挙げられる。
【００５７】
以上のことから、防水シート２０は、塩化ビニル系樹脂と可塑剤とを含有する塩化ビニル系樹脂シートで構成されることが好ましい。これにより、前記効果をより顕著に発揮させることができる。
【００５８】
なお、防水シート２０は、前記樹脂シートの単層で構成されるものの他、例えば、その厚さ方向の途中に繊維層が介挿されたもの、すなわち、厚さ方向に積層された第１樹脂層と第２樹脂層との間に繊維層（繊維シート）が挾持された構成のものであってもよい。
【００５９】
この繊維層は、繊維の集合体で構成されたものであり、例えば、織布や不織布等のクロス、縦糸と横糸とで複数の格子を形成したネット等の繊維シートが挙げられるが、防水シート２０を、このような繊維層を備えるものとすることにより、防水シート２０の強度（引き裂き強度や引っ張り強度等）および耐久性（耐繰り返し疲労特性）を向上させることができる。
【００６０】
また、防水シート２０の厚さは、特に限定されないが、例えば、０．５ｍｍ以上３ｍｍ以下程度であるのが好ましく、０．８ｍｍ以上３ｍｍ以下程度であるのがより好ましい。これにより、床部１０１と壁部１０２とを、防水シート２０により確実に覆うことができる。また、防水シート２０が風で煽られることに起因して、この防水シート２０に応力が作用したとしても、早期に防水シート２０に亀裂が生じるのを的確に抑制することができる。
【００６１】
以上のような構成のシート防水構造１０は、施工後に年月を経ると、日光や、雨水に晒されることにより、特に、樹脂で構成される、防水シート２０や、自在ドレイン７０において、その年月に差異が認められるものの、不可避的に劣化が生じ、その結果、シート防水構造１０の防水性が低下する。
【００６２】
そのため、例えば、以下に示す補修キットを用いたシート防水構造の補修方法を、シート防水構造１０に施すことで、シート防水構造１０の防水性を、再度、確保することが実施されている。
【００６３】
以下、まず、シート防水構造１０の補修に用いられる補修キットを説明し、次いで、この補修キットを用いた補修方法について説明する。
【００６４】
＜補修キット＞
図４は、図１に示すシート防水構造を補修する補修キットを説明するための部分分解斜視断面図、図５は、図４に示す補修キットを用いて補修された、図３に示すシート防水構造の主要部分を示す縦断面図である。なお、以下の説明では、図４、図５中の上側を「上」、下側を「下」と言う。
【００６５】
補修キット３００は、補修配置部材６０と、補修ドレイン８０とを有している。そして、これらのうち、補修配置部材６０を配置部材５０に対応して配置し、さらに、補修ドレイン８０を自在ドレイン７０に対して挿入するように配置した状態で、補修配置部材６０の縁部を、補修すべき防水シート２０とともに、新たに用意した防水シート２０で被覆することで、補修キット３００により、シート防水構造１０の防水性が、再度、確保されることとなる。
【００６６】
補修配置部材６０は、図４、図５に示すように、配置部材５０に対応して、配置部材５０が備える開口部５１５に、補修配置部材６０が備える開口部６１５が重なるように配置して固定されるものである。
【００６７】
この補修配置部材６０は、上記の通り、配置部材５０に対して重ね合わせ得るように、その全体形状が配置部材５０に対して相似関係にあり、配置部材５０よりも若干小さく形成されている。
【００６８】
より具体的には、補修配置部材６０は、図４に示すように、配置部材５０と同様の構成をなし、基部６１と、立ち上がり面６２とを有している。
【００６９】
そして、基部６１は、平部６１０と、この平部６１０に傾斜して設けられた傾斜部６１１と、これら平部６１０および傾斜部６１１の中央部に設けられた凹部６１２とを有している。
【００７０】
また、凹部６１２は、側壁を構成する段差６１３と、底面を構成する底部６１４とからなり、この底部６１４は、その厚さ方向に貫通する開口部６１５を有している。
【００７１】
これらのうち、凹部６１２の大きさ、すなわち段差６１３および底部６１４の大きさが、凹部５１２の大きさ、すなわち段差５１３および底部５１４の大きさよりも若干小さく形成され、開口部６１５は、開口部５１５とほぼ等しい大きさで形成されている。これにより、補修配置部材６０を配置部材５０に対して重ね合わせることができ、さらに、この重ね合わせの際に、補修配置部材６０が備える開口部６１５を、配置部材５０が備える開口部５１５に対して、その開口面積が小さくなることなく、配置させることができる。
【００７２】
補修ドレイン８０は、自在ドレイン７０に挿通して用いられ、自在ドレイン７０に接続された排水管１５０に連通することで、補修配置部材６０に供給された雨水等の水を、排水管１５０に供給する流路を構成する。
【００７３】
この補修ドレイン８０は、図４、図５に示すように、自在ドレイン７０に挿入される筒体をなす挿入ドレイン８１と、この挿入ドレイン８１の上端部から突出し、底部６１４の上面を被覆するフランジシート８２とを有している。
【００７４】
挿入ドレイン８１は、図５に示すように、筒体をなす挿入ドレイン８１の外径が、自在ドレイン７０が備える上部ドレイン７１の上部筒体７１１の内径よりも小さく設定されており、これにより、挿入ドレイン８１を、自在ドレイン７０（上部ドレイン７１）に対して挿入することが可能となっている。
【００７５】
この挿入ドレイン８１は、樹脂で構成されるものであり、この樹脂としては、前記配置部材５０が備える樹脂層を構成する樹脂で説明したのと同様のものを用いることができる。
【００７６】
フランジシート８２は、挿入ドレイン８１の上端側を被覆する被覆部８２１と、挿入ドレイン８１の上端部から突出し、底部６１４の上面を被覆するフランジ部８２２とを有しており、挿入ドレイン８１が上部ドレイン７１に挿入された際に、底部６１４の上面に接合されることで、底部６１４の上面を被覆することが可能となっている。
【００７７】
このフランジシート８２は、シート状をなすものであり、防水シート２０で説明したのと同様のもので構成することができる。
【００７８】
挿入ドレイン８１を上部ドレイン７１に挿入した際に、フランジシート８２を底部６１４の上面に接合して、底部６１４の上面を被覆することにより、自在ドレイン７０の水密性を確保することができる。
【００７９】
そして、以上のような構成をなす、補修配置部材６０および補修ドレイン８０のうち、補修配置部材６０について、その縁部を、補修すべき防水シート２０とともに、新たに用意した防水シート２０で被覆することで、配置部材５０および自在ドレイン７０の水密性を確保することができるため、シート防水構造１０の防水性を、再度、確保することが可能となる。
【００８０】
＜シート防水構造の補修方法＞
補修キット３００を用いたシート防水構造の補修方法は、補修配置部材６０を、配置部材５０に対応して配置する配置工程と、補修ドレイン８０を、自在ドレイン７０に挿通する挿入工程と、補修配置部材６０の縁部を、新たに用意した防水シート２０で被覆する被覆工程とを有する。
【００８１】
以下、これら各工程について、詳述する。
［１］まず、補修配置部材６０を、配置部材５０に対応して配置する（配置工程）。
【００８２】
すなわち、配置部材５０が備える開口部５１５に、補修配置部材６０が備える開口部６１５が重なるようにして、補修配置部材６０を、配置部材５０に対して配置させる。
【００８３】
ここで、前述の通り、補修配置部材６０が備える凹部６１２の大きさが、配置部材５０が備える凹部５１２の大きさよりも若干小さく形成されていることから、補修配置部材６０を配置部材５０に対して重ね合わせることができる。
【００８４】
［２］次に、補修ドレイン８０を、自在ドレイン７０に挿通する（挿入工程）。
より具体的には、補修ドレイン８０が備える挿入ドレイン８１を、自在ドレイン７０が備える上部ドレイン７１の上部筒体７１１に挿入する。
【００８５】
そして、この上部筒体７１１に対する、挿入ドレイン８１の挿入の後に、フランジシート８２（フランジ部８２２）を底部６１４の上面に接合する。これにより、フランジシート８２で底部６１４の上面を被覆することができる。その結果、自在ドレイン７０の水密性が確保される。
【００８６】
［３］次に、補修配置部材６０の縁部を、新たに用意した防水シート２０で被覆する（被覆工程）。
【００８７】
このとき、新たに用意した防水シート２０で、補修すべき防水シート２０をともに被覆する。
【００８８】
これにより、補修配置部材６０と補修ドレイン８０とを有する補修キット３００と、新たに用意した防水シート２０とで、配置部材５０および自在ドレイン７０、さらには補修すべき防水シート２０の水密性が確保される。その結果、シート防水構造１０の防水性が、再度、確保される。
【００８９】
以上のように、補修キット３００を用いて、シート防水構造１０の補修が実施されるが、従来のシート防水構造１０では、自在ドレイン７０が備える下部ドレイン７２として、下部筒体７２１のネジ溝７２５が形成されている上端側における内径と、下部筒体７２１のネジ溝７２５が形成されていない下端側における内径とが、ほぼ等しいものが用いられてきた。
【００９０】
したがって、この下部筒体７２１のネジ溝７２５が形成されている上端側に螺合により挿入された上部筒体７１１に対して、さらに、補修ドレイン８０が備える挿入ドレイン８１に挿入する構成とすると、挿入ドレイン８１としては、下部筒体７２１のネジ溝７２５が形成されていない下端側と比較して、内径が小さいものを選択する必要がある。
【００９１】
そのため、補修キット３００を用いて、シート防水構造１０の補修を施すと、自在ドレイン７０における雨水等の水の排出能が、補修前と比較すると、低下してしまうと言う問題があった。
【００９２】
これに対して、本発明では、図３に示すように、下部ドレイン７２として、下部筒体７２１のネジ溝７２５が形成されている上端側における内径ＤＡが、下部筒体７２１のネジ溝７２５が形成されていない下端側における内径ＤＢよりも大きいものを用いる。よって、下部筒体７２１の上端側に挿入される上部筒体７１１の内径Ｄｃを、下部筒体７２１の下端側における内径ＤＢよりも大きく設定することができる。したがって、従来の場合と比較して、図５に示すように、補修ドレイン８０が備える挿入ドレイン８１として、内径ＤＤが大きいものを、下部筒体７２１の上端側に螺合された、上部筒体７１１に対して挿入することが可能となる。よって、補修キット３００を用いて、シート防水構造１０の補修を施したとしても、自在ドレイン７０における雨水等の水の排出能が、補修前と比較して、低下してしまうのを的確に抑制または防止することができる。
【００９３】
また、上記の通り、挿入ドレイン８１は、従来と比較して、その内径ＤＤが大きいものであればよいが、本実施形態では、図５に示すように、前記内径ＤＤは、下部筒体７２１のネジ溝７２５の下端側において、内周面から突出する内周フランジ７２４の内径ＤＥよりも大きくなっている。すなわち、内周フランジ７２４の内径ＤＥは、挿入ドレイン８１の内径ＤＤよりも小さくなっている。かかる関係を満足し得る、挿入ドレイン８１を備える補修ドレイン８０を用いることで、補修された自在ドレイン７０中を流れる水の流路が狭くなるのをより的確に抑制または防止することができる。よって、自在ドレイン７０における雨水等の水の排出能が、補修前と比較して、低下してしまうのをより的確に抑制または防止することができる。
【００９４】
以上のような、挿入ドレイン８１が挿入された上部筒体７１１を備える自在ドレイン７０において、具体的には、下部筒体７２１のネジ溝７２５が形成されている上端側における内径ＤＡは、６０ｍｍ以上１３７ｍｍ以下であることが好ましく、７０ｍｍ以上１１２ｍｍ以下であることがより好ましい。また、下部筒体７２１のネジ溝７２５が形成されていない下端側における内径ＤＢは、４７ｍｍ以上１１５ｍｍ以下であることが好ましく、５９ｍｍ以上９０ｍｍ以下であることがより好ましい。さらに、上部筒体７１１の内径Ｄｃは、５１ｍｍ以上１２９ｍｍ以下であることが好ましく、６４ｍｍ以上１０４ｍｍ以下であることがより好ましい。
【００９５】
また、挿入ドレイン８１の内径ＤＤは、４０ｍｍ以上１０７ｍｍ以下であることが好ましく、５１ｍｍ以上８３ｍｍ以下であることがより好ましい。さらに、下部筒体７２１の内周面から突出する内周フランジ７２４の内径ＤＥは、３４ｍｍ以上１００ｍｍ以下であることが好ましく、４４ｍｍ以上７４ｍｍ以下であることがより好ましい。
【００９６】
前記内径ＤＡ〜ＤＥが前記範囲内である、挿入ドレイン８１が挿入された上部筒体７１１を備える自在ドレイン７０に対して、本発明が好適に適用される。
【００９７】
なお、補修キット３００を用いて補修されたシート防水構造１０において、自在ドレイン７０と、補修ドレイン８０とにより、本発明の補修ドレインセットが構成される。
【００９８】
以上、本発明の自在ドレインおよび補修ドレインセットについて説明したが、本発明は、これらに限定されるものではない。
【００９９】
例えば、本発明の自在ドレインおよび補修ドレインセットが適用されたシート防水構造において、各構成は、同様の機能を発揮し得る任意のものと置換することができ、あるいは、任意の構成のものを付加することができる。
【０１００】
さらに、本発明の自在ドレインおよび補修ドレインセットが適用されたシート防水構造において、前記実施形態では、自在ドレインは、配置部材が備える開口部に固定されている場合について説明したが、この場合に限らず、自在ドレインは、各種部材に対して固定されているものであってもよい。
【０１０１】
また、前記実施形態では、配置部材は、その縁部において選択的に防水シートで被覆される場合について説明したが、この配置部材は、その全体が防水シートで被覆されたものであってもよい。
【０１０２】
さらに、前記実施形態では、下部ドレインが備える下部筒体の内周面から内周フランジが突出していたが、下部筒体は、内周フランジの形成が省略されたものであってもよい。
【符号の説明】
【０１０３】
１０            シート防水構造
２０            防水シート
５０            配置部材
５１            基部
５２            立ち上がり面
６０            補修配置部材
６１            基部
６２            立ち上がり面
７０            自在ドレイン
７１            上部ドレイン
７２            下部ドレイン
８０            補修ドレイン
８１            挿入ドレイン
８２            フランジシート
９０            敷設部材
１００          躯体
１０１          床部
１０２          壁部
１０３          境界部
１０５          排水口
１５０          排水管
３００          補修キット
５１０          平部
５１１          傾斜部
５１２          凹部
５１３          段差
５１４          底部
５１５          開口部
６１０          平部
６１１          傾斜部
６１２          凹部
６１３          段差
６１４          底部
６１５          開口部
７１１          上部筒体
７１２          上部フランジ
７１５          ネジ溝
７２１          下部筒体
７２２          下部フランジ
７２４          内周フランジ
７２５          ネジ溝
８２１          被覆部
８２２          フランジ部
【要約】
【課題】自在ドレインに補修ドレインを挿入して補修を施したとしても、雨水等の水の排出能が低下するのを的確に抑制または防止することができる自在ドレインおよび補修ドレインセットを提供すること。
【解決手段】本発明の自在ドレイン７０は、躯体１００が備える排水口１０５に対応して配置されるものであり、上部筒体７１１と、この上部筒体７１１の上端部から突出する上部フランジ７１２とを有する上部ドレイン７１と、下部筒体７２１と、この下部筒体７２１の上端部から突出する下部フランジ７２２とを有する下部ドレイン７２とを備え、上部筒体７１１は、補修ドレイン８０が有する筒体をなす挿入ドレイン８１を挿入可能に構成されており、上部筒体７１１の内径は、下部筒体７２１の下端側の内径よりも大きくなっている。
【選択図】図５【図１】
0006915220.tif 000002
【図２】
0006915220.tif 000003
【図３】
0006915220.tif 000004
【図４】
0006915220.tif 000005
【図５】
0006915220.tif 000006